(57)【特許請求の範囲】
【請求項１】
上下方向に開口する筒状の枠体と；
光源を設けて下面から光を出射する本体部、および前記本体部の上部に設けられた放熱フィンを有し、前記本体部は、前記枠体内に配置されるとともに、前記本体部の側面に交差する回動軸によって前記枠体に回動可能に支持され、かつ、前記放熱フィンは、前記枠体の上方に突出され、前記本体部を回動させて傾斜させたときに前記枠体との干渉を避ける切欠部が設けられているとともに、前記切欠部の上部側かつ前記傾斜させる方向には前記放熱フィンの最大外径部の一部が設けられており、前記本体部を最大角度傾斜させたときに前記枠体の上面に対向する前記切欠部の縁部が前記枠体の上面に平行状となる灯体と；
を具備することを特徴とする照明装置。
【請求項２】
上下方向に開口する筒状の枠体と；
光源を設けて下面から光を出射する本体部、および前記本体部の上部に設けられた放熱フィンを有し、前記本体部は、前記枠体内に配置されるとともに、前記本体部の側面に交差する回動軸によって前記枠体に回動可能に支持され、かつ、前記放熱フィンは、前記枠体の上方に突出され、前記本体部を回動させて傾斜させたときに前記枠体との干渉を避ける切欠部が設けられ、前記切欠部には前記本体部を回動させて傾斜させたときに前記枠体の上面に対向する縁部が設けられているとともに、前記切欠部の上部側かつ前記傾斜させる方向には前記放熱フィンの最大外径部の一部が設けられており、前記本体部の下面に対する前記縁部の角度が前記本体部を最大角度傾斜させたときの角度と同じに設けられている灯体と；
を具備することを特徴とする照明装置。
【発明の詳細な説明】
【技術分野】
【０００１】
本発明の実施形態は、灯体が回動して照射方向を調整可能な照明装置に関する。
【背景技術】
【０００２】
従来、例えば店舗などにおいて、商品や空間を照明する照明装置として、天井に埋め込み設置されるダウンライトがある。この照明装置では、天井に設置する枠体の内側に灯体を水平方向の回動軸で回動可能に支持し、枠体に対して灯体を回動させて傾斜させることにより、灯体からの光の照射方向を調整可能としたものがある。
【０００３】
このような照明装置では、光源が発生する熱を効果的に放熱するために灯体の上部に放熱フィンを設けているが、灯体を傾斜させた場合に枠体との干渉を避けるために放熱フィンの幅を狭くし、そのうえで、放熱フィンの突出高さを高くして所望の放熱性能が確保されるようにしていることが多い。
【０００４】
しかし、放熱フィンの突出高さが高く、灯体の高さが高くなると、天井裏の高さスペースが少ない場合に、照明装置の設置が制限されることがある。
【先行技術文献】
【特許文献】
【０００５】
【特許文献１】特開２０１２−９４３１６号公報
【発明の概要】
【発明が解決しようとする課題】
【０００６】
本発明が解決しようとする課題は、放熱性能を確保しながら、灯体の高さを低くすることが可能となる照明装置を提供することである。
【課題を解決するための手段】
【０００７】
実施形態の照明装置は、枠体および灯体を備える。枠体は、上下方向に開口する筒状である。灯体は、光源を設けて下面から光を出射する本体部、および本体部の上部に設けられた放熱フィンを有する。本体部は、枠体内に配置されるとともに、本体部の側面に交差する回動軸によって枠体に回動可能に支持される。放熱フィンは、枠体の上方に突出され、本体部を回動させて傾斜させたときに枠体との干渉を避ける切欠部が設けられているとともに、切欠部の上部側かつ前記傾斜させる方向には放熱フィンの最大外径部の一部が設けられており、本体部を最大角度傾斜させたときに枠体の上面に対向する切欠部の縁部が枠体の上面に平行状となる。
【発明の効果】
【０００８】
本発明によれば、放熱性能を確保しながら、灯体の高さを低くすることが期待できる。
【図面の簡単な説明】
【０００９】
【図１】一実施形態を示す照明装置の灯体を第１の傾斜方向に最大角度傾斜させた側面図である。
【図２】同上照明装置の灯体を第２の傾斜方向に最大角度傾斜させた側面図である。
【図３】同上照明装置の灯体の光軸を直下方向に向けた側面図である。
【図４】同上照明装置の断面図である。
【図５】同上照明装置の灯体の側面図である。
【図６】同上照明装置の上方から見た分解斜視図である。
【図７】同上照明装置の下方から見た斜視図である。
【発明を実施するための形態】
【００１０】
以下、一実施形態を、図１ないし図７を参照して説明する。
【００１１】
図６および図７に示すように、照明装置10は、例えば天井部材に形成されている埋込孔に埋め込み設置されるダウンライトである。
【００１２】
照明装置10は、化粧枠としての枠体11、この枠体11に取り付けられた灯体12、および灯体12に電源を供給する図示しない電源ユニットを備えている。
【００１３】
そして、図１ないし図４、図６および図７に示すように、枠体11は、上下方向に開口する円筒状に形成されている。枠体11は、円筒状の筒部20、この筒部20の下端から外径側に突設された環状のフランジ部21を備え、筒部20の内側に上下方向に開口する開口部22が形成されている。筒部20の周囲には、板ばねによって構成される複数の取付ばね23が取り付けられている。取付ばね23は、枠体11の側面に沿って弾性変形させた状態で枠体11とともに天井部材の埋込孔に挿入され、天井部材の上方で側方に展開し、天井部材の上面側に当接して枠体11を上方に引き上げ、枠体11を天井部材に保持する。
【００１４】
枠体11は、この枠体11の上部に、枠体11の中心軸11aを中心として回動可能に設けられる環状の回転台24を備えている。回転台24は、枠体11（筒部20）の上面に摺動可能に載置される環状部25、およびこの環状部25の周囲から下方に折り曲げられて枠体11（筒部20）の外周面に対向される折曲部26を有している。
【００１５】
回転台24の内側には一対の支持部27が枠体11の内側に突出するように下方へ折曲され、これら支持部27に灯体12を回動可能に支持する回動軸28が互いに対向して設けられている。これら回動軸28は、枠体11および灯体12（本体部）の側面に交差する軸であって、水平方向の軸であり、枠体11の中心軸11aからずれた位置で互いに対向するように設けられている。
【００１６】
回転台24の周辺部の１箇所には突起29が突設されており、回転台24を回動させたときに、枠体11に設けられているストッパに突起29が当接することで、回転台24の回動が規制される。したがって、突起29がストッパに当接するまでの範囲内であって、例えば約３５０°の範囲内で、回転台24は枠体11に対して回動可能としている。
【００１７】
回転台24は、複数の押え金具30によって枠体11に回動可能に取り付けられている。押え金具30は、回転台24の周面および上面に当接して保持するように断面Ｌ字形に形成されており、回転台24を枠体11に対して回動可能に保持している。
【００１８】
回転台24上には、回動軸28を中心として回動する灯体12の傾斜範囲を規制する規制機構32が設けられている。規制機構32は、回転台24上に取り付けられたアーム33、およびアーム33を通じて灯体12に連結される連結部34を備えている。アーム33には回動軸28を中心とした円弧状のガイド溝35が形成され、このガイド溝35に連結部34が挿通されている。そして、回動軸28を中心として灯体12を回動させたときに、連結部34がガイド溝35の一端または他端に当接することで、灯体12の傾斜範囲を規制する。なお、図中の二点鎖線に枠体11の中心軸11aを示し、一点鎖線に灯体12の中心軸12aを示す。
【００１９】
例えば、図１において、灯体12が回動軸28を中心として反時計回り方向に傾斜する方向を第１の傾斜方向ａ、反対の時計回り方向に傾斜する方向を第２の傾斜方向ｂとする。この場合、回動軸28が枠体11および灯体12の中心からずれた位置にあるため、第１の傾斜方向ａへの灯体12の傾斜角度θ1が、第２の傾斜方向ｂへの灯体12の傾斜角度θ2よりも大きくなる。そして、本実施形態では、第１の傾斜方向ａへの灯体12の傾斜角度θ1は４５°、第２の傾斜方向ｂへの灯体12の傾斜角度θ2は３５°である。なお、各傾斜角度θ1、θ2は、このような角度に限定されるものではなく、適宜設定することができる。
【００２０】
連結部34は、ワッシャ、スプリングワッシャおよびねじなどを備えており、灯体12に連結されるとともに、アーム33を挟持して保持力を発揮し、回動調整した灯体12をその回動位置で保持する。
【００２１】
また、図１ないし図７に示すように、灯体12は、光源40、レンズ41、これら光源40およびレンズ41を設けた本体部42、およびこの本体部42の上部に設けられた放熱フィン43を備えている。本体部42と放熱フィン43とは一体に形成されている。本体部42は枠体11の内側に回動可能に配置され、放熱フィン43は枠体11の上方に突出されている。
【００２２】
光源40は、発光モジュール45によって構成されている。発光モジュール45は、基板46、および基板46の表面に形成された発光部47を備えている。発光部47は、発光素子を備えている。例えば、発光モジュール45は、基板46に発光素子としての複数のＬＥＤを実装し、蛍光体を含有した透明樹脂によって複数のＬＥＤを封止したＣＯＢモジュールによって構成されている。なお、発光素子としては、ＬＥＤに限らず、有機ＥＬ等の他の発光素子を用いてもよい。
【００２３】
レンズ41は、例えばフレネルレンズが用いられている。
【００２４】
本体部42は、下方に開口する円筒状で、上面に光源40を取り付ける光源取付部50が設けられ、下面に光源40から照射開口51が形成されている。光源取付部50には、配線孔52が形成されている。照射開口51には、レンズ41が配設されている。本体部42の両側面には、回動軸28によって回動可能に支持される軸受部53がそれぞれ設けられている。これら軸受部53は、灯体12の中心軸12aからずれた位置に設けられている。本体部42の周面の上部側は、灯体12が傾斜する際に枠体との干渉を防止するために、上方に向けて縮径するように設けられている。
【００２５】
放熱フィン43は、本体部42の上面部から上方に突出されている。放熱フィン43は、灯体12が回動軸28を中心として回動する方向に板状に設けられ、灯体12が回動軸28を中心として回動する方向に対して直交する方向に所定の間隔をあけて平行に並設されている。放熱フィン43の周面は、本体部42の最大外径部よりも内側に配置されていて、円形状に設けられ、また、放熱フィン43の上面は、本体部42の下面と平行な平面状に設けられている。
【００２６】
放熱フィン43の並設方向の一側に位置する放熱フィン43の外面には、規制機構32の連結部34が連結されるボス部54が設けられている。
【００２７】
放熱フィン43には、灯体12が回動軸28を中心として回動する方向の両側、すなわち第１の傾斜方向ａおよび第２の傾斜方向ｂの両側に、灯体12をそれぞれの傾斜方向ａ，ｂに回動させて傾斜させたときに枠体11との干渉を避けるための切欠部55a，55bがそれぞれ設けられている。切欠部55a，55bは、断面略三角形状に切り欠かれている。切欠部55a，55bの上部側には、放熱フィン43の最大外径部43a，43bの一部が設けられている。
【００２８】
切欠部55a，55bには、灯体12をそれぞれの傾斜方向ａ，ｂに回動させて傾斜させたときに、枠体11の上面に対向する縁部56a，56bがそれぞれ設けられている。そして、縁部56a，56bは、灯体12をそれぞれの傾斜方向ａ，ｂに最大角度傾斜させたときに、枠体11の上面に対して平行状となるように構成されている。すなわち、灯体12の下面に対する縁部56a，56bの角度α1，α2は（図５参照）、灯体12をそれぞれの傾斜方向ａ，ｂに最大角度傾斜させたときの傾斜角度θ1，θ2と同じになるように設けられている。本実施形態では、傾斜角度θ1は４５°、θ2は３５°であるため、角度α1は４５°、α2は３５°である。
【００２９】
また、電源ユニットは、灯体12とは別に例えば天井部材上に設置され、ケーブルによって灯体12の光源40と電気的に接続される。そして、電源ユニットは、交流電力を所定の直流電力に変換して光源40に供給し、光源40を点灯させる。
【００３０】
次に、照明装置10の動作を説明する。
【００３１】
図４には、灯体12の中心軸12a（光軸）を直下方向に向け、灯体12の照射方向を直下方向とした状態を示す。この状態では、光源40からの光が直下方向に照射される配光となる。
【００３２】
そして、光源40の発光素子が発生する熱は、本体部42から放熱フィン43に伝わり、放熱フィン43から空気中に放熱される。
【００３３】
また、図１には、回動軸28を中心として灯体12を第１の傾斜方向ａに回動させて傾斜させた状態であって、第１の傾斜方向ａに傾斜角度θ1が最大角度となるように傾斜させた状態を示す。本実施形態では、４５°傾斜させた状態を示す。この傾斜状態では、光源40からの光が斜め４５°方向に照射される配光となる。
【００３４】
この傾斜状態では、第１の傾斜方向ａの放熱フィン43の側面に切欠部55aが設けられていることにより、放熱フィン43が枠体11に干渉することがない。
【００３５】
枠体11の上面に対して切欠部55aの縁部56aが対向し、この縁部56aが枠体11の上面に平行状となり、切欠部55aの上部側の最大外径部43aが枠体11よりも側方に突出する。
【００３６】
そのため、光源40の発光素子が発生する熱は、本体部42から放熱フィン43に伝わり、切欠部55aの上部側の最大外径部43aからも空気中に放熱される。このとき、切欠部55aの上部側の最大外径部43aが枠体11よりも側方に突出しているため、枠体11の側方の空間を通じて温度の低い空気が放熱フィン43に流れる対流がスムーズに発生し、放熱性能が向上する。
【００３７】
また、図２には、回動軸28を中心として灯体12を第２の傾斜方向ｂに回動させて傾斜させた状態であって、第２の傾斜方向ｂに傾斜角度θ2が最大角度となるように傾斜させた状態を示す。本実施形態では、３５°傾斜させた状態を示す。この傾斜状態では、光源40からの光が斜め３５°方向に照射される配光となる。
【００３８】
この傾斜状態では、第２の傾斜方向ｂの放熱フィン43の側面に切欠部55bが設けられていることにより、放熱フィン43が枠体11に干渉することがない。
【００３９】
枠体11の上面に対して切欠部55bの縁部56bが対向し、この縁部56bが枠体11の上面に平行状となり、切欠部55bの上部側の最大外径部43bの上部側が枠体11よりも側方に突出する。
【００４０】
そのため、光源40の発光素子が発生する熱は、本体部42から放熱フィン43に伝わり、切欠部55bの上部側の最大外径部43bからも空気中に放熱される。このとき、切欠部55bの上部側の最大外径部43bの上部側が枠体11よりも側方に突出しているため、枠体11の側方の空間を通じて温度の低い空気が放熱フィン43に流れる対流がスムーズに発生し、放熱性能が向上する。
【００４１】
このように、本実施形態の照明装置10は、灯体12を最大角度傾斜させたときに、枠体11の上面に対して切欠部55a，55bの縁部56a，56bが対向し、この縁部56a，56bが枠体11の上面に平行状となるようにしているため、放熱フィン43には切欠部55a，55b以外のところが残り、放熱フィン43の放熱性能を向上させることができる。
【００４２】
さらに、切欠部55a，55bの上部側の最大外径部43a，43bが枠体11よりも側方に突出するため、枠体11の側方の空間を通じて温度の低い空気が放熱フィン43に流れる対流がスムーズに発生し、放熱フィン43の放熱性能を向上させることができる。
【００４３】
そして、放熱フィン43の放熱性能が向上するため、放熱フィン43の高さを低くしても、必要な放熱性能を確保することができる。
【００４４】
したがって、照明装置10は、必要な放熱性能を確保しながら、放熱フィン43の高さ、すなわち灯体12の高さを低くすることができる。これにより、天井裏の高さスペースが少なくても照明装置10を設置することが可能となる。
【００４５】
また、灯体12の下面に対する縁部56a，56bの角度α1，α2を、灯体12をそれぞれの傾斜方向ａ，ｂに最大角度傾斜させたときの傾斜角度θ1，θ2と同じになるように設けることでも、縁部56a，56bが枠体11の上面に平行状となるため、上述した作用効果が得られる。
【００４６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４７】
10    照明装置
11    枠体
12    灯体
28    回動軸
40    光源
42    本体部
43    放熱フィン
43a，43b 最大外径部
55a，55b    切欠部
56a，56b    縁部
【図１】
0006703741.tif 000002
【図２】
0006703741.tif 000003
【図３】
0006703741.tif 000004
【図４】
0006703741.tif 000005
【図５】
0006703741.tif 000006
【図６】
0006703741.tif 000007
【図７】
0006703741.tif 000008